(57)【要約】【課題】無信号チャンネルを選局した時でも、ＯＳＤ表示位置が有信号チャンネルを受信した時と等しくすることにより高品位な表示を可能としたマルチ・モニター装置を提供すること。【解決手段】入力された複合映像信号を処理して色復調や画質調整を行う映像復調回路１と、入力された複合映像信号から同期信号を分離して画像表示用の制御信号を生成する表示用制御信号生成手段（同期分離回路３、パネル・コントローラ４およびＰＬＬ回路５）とを有するマルチ・モニター装置において、ＰＬＬ回路５のフリー発振周波数を複合映像信号の信号方式に対応して切り換えるフリー発振周波数切換スイッチＳＷを設ける。このため、ＮＴＳＣモード／ＰＡＬモード共に無信号時のフリー発振周波数を有信号時の発振周波数と等しく設定できる。【選択図】　　　図１
2004088724.tif 000002
【特許請求の範囲】
【請求項１】
入力された複合映像信号を処理して色復調や画質調整を行う映像復調手段と、入力された複合映像信号から同期信号を分離して画像表示用の制御信号を生成する表示用制御信号生成手段と、複合映像信号の信号方式を示す識別信号により前記映像復調手段および前記表示用制御信号生成手段の動作を切換える信号方式切換手段と、前記映像復調手段からの出力信号および前記制御信号に基づいて画像を表示する表示体とを有し、前記映像復調手段に入力されたＯＳＤ（Ｏｎ　Ｓｃｒｅｅｎ　Ｄｉｓｐｌａｙ）信号に基づいて前記表示体で映像内容を文字や記号で表示可能に構成されたマルチ・モニター装置において、
さらに、前記表示用制御信号生成手段に用いられたＰＬＬ（Ｐｈａｓｅ　Ｌｏｃｋｅｄ　Ｌｏｏｐ）回路のフリー発振周波数を複合映像信号の信号方式に対応して切り換えるフリー発振周波数切換手段を有していることを特徴とするマルチ・モニター装置。
【請求項２】
請求項１において、前記フリー発振周波数切換手段は、選択された有信号チャンネルの複合映像信号から生成された水平同期周波数の整数倍に前記ＰＬＬ回路のフリー発振周波数を一致させることを特徴とするマルチ・モニター装置。
【請求項３】
請求項１または２において、前記フリー発振周波数切換手段は、前記識別信号に基づいて前記ＰＬＬ回路のフリー発振周波数を切り換えることを特徴とするマルチ・モニター装置。
【請求項４】
請求項３において、前記フリー発振周波数切換手段は、前記識別信号としてのＰＡＬ／ＮＴＳＣ識別信号に基づいて前記ＰＬＬ回路のフリー発振周波数を切換えることを特徴とするマルチ・モニター装置。
【請求項５】
請求項４において、前記ＰＬＬ回路は、直流の調整電圧が印加される可変容量ダイオードを備えたＬＣ共振回路を有し、
前記フリー発振周波数切換手段は、前記可変容量ダイオードに印加する調整電圧を前記ＰＡＬ／ＮＴＳＣ識別信号に基づいて切換えることによりＰＡＬ／ＮＴＳＣモードでのフリー発振周波数を切換えることを特徴とするマルチ・モニター装置。
【請求項６】
請求項１ないし５のいずれかにおいて、移動用あるいは携帯用として構成されていることを特徴とするマルチ・モニター装置。
【発明の詳細な説明】
【０００１】
【発明が属する技術分野】
本発明は、入力された複数の信号方式の映像信号を復調して画像表示することのできるマルチ・モニター装置に関するものである。さらに詳しくは、マルチ・モニター装置におけるＯＳＤ技術に関するものである。
【０００２】
【従来の技術】
図３は、従来のマルチ・モニター装置の一例としてのＮＴＳＣ／ＰＡＬモニター装置のブロック図である。この図において、１は映像復調回路、２は信号方式切換回路、３は同期分離回路、４はパネル・コントローラ、５はＰＬＬ回路、６は液晶表示パネル（表示体）であり、同期分離回路３、パネル・コントローラ４およびＰＬＬ回路５によって、図示しないテレビ受信部から入力されてくる複合映像信号ＣＶから同期信号を分離して画像表示用の制御信号を生成する表示用制御信号生成手段が構成されている。（例えば、特許文献１参照）
【０００３】
【特許文献１】
特開２００１−３５８５３２号公報
【０００４】
複合映像信号ＣＶは、映像復調回路１、および同期分離回路３に供給される。映像復調回路１は、入力された複合映像信号を処理して色復調や画質調整などを行う映像復調手段であり、復調された原色信号は、１Ｈ（水平周波数）反転処理されたＲＧＢ復調映像信号として液晶表示パネル６に供給される。また、映像復調回路１には信号方式切換回路２（信号方式切換手段）が接続されており、入力された複合映像信号ＣＶがＮＴＳＣ方式かＰＡＬ方式かの識別信号ＩＤにより、色復調のための水晶振動子（ＮＴＳＣ時：３．５７９５４５ＭＨｚ、ＰＡＬ時：４．４３３６１９ＭＨｚ）などの切り換え制御を行うようになっている。
【０００５】
一方、入力された複合映像信号ＣＶは、同期分離回路３で同期分離され、分離された複合同期信号ＣＳがパネル・コントローラ４に供給される。パネル・コントローラ４には、ＰＬＬ回路５が接続されており、入力された複合同期信号ＣＳの水平同期信号に同期した水平タイミング信号ＨＤを再生するようになっている。そして、水平タイミング信号ＨＤ、および複合同期信号ＣＳから分離、生成された垂直タイミング信号ＶＤに基づいて、パネル・コントローラ４は、液晶表示パネル６を駆動するために必要な諸々の信号を生成し、液晶表示パネル６に供給している。従って、パネル・コントローラ４から供給される駆動信号、および映像復調回路１から供給されるＲＧＢ復調映像信号により、液晶表示パネル６で映像を再生表示可能である。
【０００６】
また、信号仕様の異なるＮＴＳＣ方式とＰＡＬ方式の映像信号を同一の液晶表示パネル６に適切に表示するために、一般的にＰＡＬモード時は走査線の間引き処理が行われる。このような処理を行うためにパネル・コントローラ４を識別信号ＩＤにより制御するようになっており、間引き制御に必要な駆動信号がパネル・コントローラ４から液晶表示パネル６に供給されるようになっている。
【０００７】
さらに、水平タイミング信号ＨＤ、および垂直タイミング信号ＶＤは、図示しないテレビ受信部にも供給され、映像表示内容の把握を助けるためのＯＳＤを表示するためのＯＳＤ用ｒｇｂ信号を生成するための基準信号として用いられる。
【０００８】
水平タイミング信号ＨＤを生成するためのＰＬＬ回路５は、具体的には図４に示すようになっており、パネル・コントローラ４に内蔵の電圧制御発振器の入出力端子ＩＮ、ＯＵＴに接続されたＬＣ共振回路５１と、位相比較出力端子ＰＤに接続されたアクティブ・フィルタ５０とを備えている。ＬＣ共振回路のインダクタンスはインダクタＬのみであるが、キャパシタンスは、コンデンサＣ１、Ｃ２、Ｃ３、及び可変容量ダイオードＶＤの直列合成容量となる。そして、可変容量ダイオードＶＤのアノードには抵抗Ｒを介してアクティブ・フィルタ５０からの直流出力電圧が供給される一方、カソードには可変抵抗器ＶＲにより直流電圧が印加され、電圧制御発振器がパネル・コントローラ４に入力された同期信号に同期するようにフィードバック制御される。
【０００９】
ここで、図３に示す複合映像信号ＣＶが無入力時における電圧制御発振器のフリー発振周波数ｆ０は有信号時に近似した値に設定されることが望ましく、掛け離れているとＰＬＬ回路５が入力信号にロックできなくなる恐れがある。このため、可変容量ダイオードＶＤのカソードに印加する直流電圧を可変抵抗器ＶＲで調整することにより、フリー発振周波数ｆ０が有信号時と近似した値になるように調整している。
【００１０】
但し、マルチ・モニター装置には、ＮＴＳＣ方式の水平同期周波数（１５．７３４ｋＨｚ）とＰＡＬ方式の水平同期周波数（１５．６２５ｋＨｚ）の両方に同期して動作可能であることが求められる。このため、従来は、フリー発振周波数ｆ０は、ＮＴＳＣとＰＡＬにおける水平同期周波数の中間値の整数倍に設定されている。
【００１１】
すなわち、フリー発振周波数ｆ０は、以下の式（１）
ｆ０＝（１５．６２５＋１５．７３４）×Ｎ／２（ｋＨｚ）・・（１）　　Ｎ：正の整数
となるように可変抵抗器ＶＲの抵抗値が調整されることになる。
【００１２】
【発明が解決しようとする課題】
しかしながら、従来のＮＴＳＣ／ＰＡＬモニター装置では、無信号時のＰＬＬ回路５のフリー発振周波数ｆ０がＮＴＳＣまたはＰＡＬの有信号時における発振周波数と異なるため、無信号チャンネルを受信した際のＯＳＤ表示位置が、有信号チャンネルを受信した時と比べ僅か左または右方向にずれてしまうので、ＯＳＤの表示品位が低下するという問題がある。
【００１３】
すなわち、ＮＴＳＣ／ＰＡＬモニター装置では、映像表示内容の把握を助けるためにＯＳＤが採用されているが、ＯＳＤのための基準信号（水平タイミング信号ＨＤ、および垂直タイミング信号ＶＤ）も、パネル・コントローラ４から供給されるため、例えば、テレビ受信装置からのＮＴＳＣ映像信号に基づいて映像を表示している場合に、選局操作などにより有信号チャンネルと無信号チャンネルが繰返し入れ替わると、水平タイミング信号ＨＤの周波数も、有信号時の１５．７３４ｋＨｚと、式（１）で求められる無信号時の周波数値（フリー発振周波数ｆ０）の１／Ｎとの間で繰返し変化することになる。
【００１４】
このため、従来のマルチ・モニター装置では、図５（ａ）、（ｂ）に示すように、無信号チャンネル受信時におけるＯＳＤの水平方向における表示位置が有信号チャンネル受信時における表示位置から寸法ｄｎ分だけ僅か右にずれることになるため目障りであり、表示品位を低下させることになる。このような現象はＰＡＬ映像信号を表示している場合も同様であり、この場合には、図６（ａ）、（ｂ）に示すように、無信号チャンネル受信時におけるＯＳＤの水平方向における表示位置が有信号チャンネル受信時における表示位置から寸法ｄｐ分だけ僅か左にずれることになる。
【００１５】
以上の問題点に鑑みて、本発明の課題は、無信号チャンネルを選局した時でも、ＯＳＤ表示位置が有信号チャンネルを受信した時と等しくすることにより高品位な表示を可能としたマルチ・モニター装置を提供することにある。
【００１６】
【課題を解決するための手段】
上記課題を解決するため、本発明では、入力された複合映像信号を処理して色復調や画質調整を行う映像復調手段と、入力された複合映像信号から同期信号を分離して画像表示用の制御信号を生成する表示用制御信号生成手段と、複合映像信号の信号方式を示す識別信号により前記映像復調手段および前記表示用制御信号生成手段の動作を切換える信号方式切換手段と、前記映像復調手段からの出力信号および前記制御信号に基づいて画像を表示する表示体とを有し、前記映像復調手段に入力されたＯＳＤ（Ｏｎ　Ｓｃｒｅｅｎ　Ｄｉｓｐｌａｙ）信号に基づいて前記表示体で映像内容を文字や記号で表示可能に構成されたマルチ・モニター装置において、さらに、前記表示用制御信号生成手段に用いられたＰＬＬ（Ｐｈａｓｅ　Ｌｏｃｋｅｄ　Ｌｏｏｐ）回路のフリー発振周波数を複合映像信号の信号方式に対応して切り換えるフリー発振周波数切換手段を有していることを特徴とする。
【００１７】
本発明において、前記フリー発振周波数切換手段は、例えば、選択された有信号チャンネルの複合映像信号から生成された水平同期周波数の整数倍に前記ＰＬＬ回路のフリー発振周波数を一致させる。
【００１８】
本発明では、受信している複合映像信号の信号方式に応じてＰＬＬ回路のフリー発振周波数を切り換えるため、選択された有信号チャンネルの複合映像信号から生成された水平同期周波数の整数倍にＰＬＬ回路のフリー発振周波数を一致させることができる。このため、無信号時のＯＳＤ表示位置が左または右方向にずれるのを防ぐことができ、ＯＳＤの表示位置を常に一定に保つことができる。
【００１９】
本発明において、前記フリー発振周波数切換手段は、前記識別信号に基づいて前記ＰＬＬ回路のフリー発振周波数を切り換えることが好ましい。
【００２０】
本発明において、前記フリー発振周波数切換手段は、例えば、前記識別信号としてのＰＡＬ／ＮＴＳＣ識別信号に基づいて前記ＰＬＬ回路のフリー発振周波数を切換える。
【００２１】
ここで、前記ＰＬＬ回路が、直流の調整電圧が印加される可変容量ダイオードを備えたＬＣ共振回路を有する場合には、前記フリー発振周波数切換手段は、前記可変容量ダイオードに印加する調整電圧を前記ＰＡＬ／ＮＴＳＣ識別信号に基づいて切換えることによりＰＡＬ／ＮＴＳＣモードでのフリー発振周波数を切換えることが好ましい。
【００２２】
本発明は、移動用あるいは携帯用のマルチ・モニター装置に適用することが好ましい。車載用マルチ・モニター装置でテレビ放送を受信する際、車両の移動に伴って受信状態が悪化すると、受信状態の良好な新たなチャンネルを求めて選局チャンネルを変更することが多々あるが、このような使用を行っても、本発明によれば、ＯＳＤの表示位置を常に一定に保つことができるので、高品位の表示を行うことができる。
【００２３】
【発明の実施の形態】
図１は、本発明を適用したマルチ・モニター装置の一例としてのＮＴＳＣ／ＰＡＬモニター装置のブロック図である。図２は、図１に示すマルチ・モニター装置に搭載されているＰＬＬ回路の具体例を示す回路図である。なお、本形態のＮＴＳＣ／ＰＡＬモニター装置は、基本的な構造が、図３および図４を参照して説明した従来のＮＴＳＣ／ＰＡＬモニター装置と同様であるため、共通する機能を有する部分には同一の符号を付して説明する。
【００２４】
図１において、１は映像復調回路、２は信号方式切換回路、３は同期分離回路、４はパネル・コントローラ、５はＰＬＬ回路、６は液晶表示パネル（表示体）であり、同期分離回路３、パネル・コントローラ４およびＰＬＬ回路５によって、図示しないテレビ受信部から入力されてくる複合映像信号ＣＶから同期信号を分離して画像表示用の制御信号を生成する表示用制御信号生成手段が構成されている。
【００２５】
複合映像信号ＣＶは、映像復調回路１、および同期分離回路３に供給される。映像復調回路１は、入力された複合映像信号を処理して色復調や画質調整などを行う映像復調手段であり、復調された原色信号は、１Ｈ（水平周波数）反転処理されたＲＧＢ復調映像信号として液晶表示パネル６に供給される。また、映像復調回路１には信号方式切換回路２（信号方式切換手段）が接続されており、入力された複合映像信号ＣＶがＮＴＳＣ方式かＰＡＬ方式かの識別信号ＩＤにより、色復調のための水晶振動子（ＮＴＳＣ時：３．５７９５４５ＭＨｚ、ＰＡＬ時：４．４３３６１９ＭＨｚ）などの切り換え制御を行うようになっている。
【００２６】
一方、入力された複合映像信号ＣＶは、同期分離回路３で同期分離され、分離された複合同期信号ＣＳがパネル・コントローラ４に供給される。パネル・コントローラ４には、ＰＬＬ回路５が接続されており、入力された複合同期信号ＣＳの水平同期信号に同期した水平タイミング信号ＨＤを再生するようになっている。そして、水平タイミング信号ＨＤ、および複合同期信号ＣＳから分離、生成された垂直タイミング信号ＶＤに基づいて、パネル・コントローラ４は、液晶表示パネル６を駆動するために必要な諸々の信号を生成し、液晶表示パネル６に供給している。従って、パネル・コントローラ４から供給される駆動信号、および映像復調回路１から供給されるＲＧＢ復調映像信号により、液晶表示パネル６で映像を再生表示可能である。
【００２７】
また、信号仕様の異なるＮＴＳＣ方式とＰＡＬ方式の映像信号を同一の液晶表示パネル６に適切に表示するために、一般的にＰＡＬモード時は走査線の間引き処理が行われる。このような処理を行うためにパネル・コントローラ４を識別信号ＩＤにより制御するようになっており、間引き制御に必要な駆動信号がパネル・コントローラ４から液晶表示パネル６に供給されるようになっている。
【００２８】
さらに、水平タイミング信号ＨＤ、および垂直タイミング信号ＶＤは、図示しないテレビ受信部にも供給され、映像表示内容の把握を助けるためのＯＳＤを表示するためのＯＳＤ用ｒｇｂ信号を生成するための基準信号として用いられる。
【００２９】
ここで、本形態では、入力された複合映像信号ＣＶがＮＴＳＣ方式かＰＡＬ方式かの識別信号ＩＤによりＰＬＬ回路５のフリー発振周波数を切換制御するためのフリー発振周波数切換スイッチＳＷ（フリー発振周波数切換手段）が形成されている。
【００３０】
このため、本形態では、ＮＴＳＣ信号を表示するモード時は、ＰＬＬ回路５のフリー発振周波数ｆｎを
ｆｎ＝１５．７３４×Ｎ（ｋＨｚ）・・（２）
Ｎ：正の整数
とすると共に、ＰＡＬ信号を表示するモード時は、フリー発振周波数ｆｐを
ｆｐ＝１５．６２５×Ｎ（ｋＨｚ）・・（３）
となるように切換え制御することができる。
【００３１】
このようにすることによりＮＴＳＣ方式のテレビ受信信号を入力して表示している場合でも、ＰＡＬ方式のテレビ受信信号を入力して表示している場合でも、受信チャンネルが有信号であるか無信号であるかに関わらず、ＰＬＬ回路５は常に１５．７３４ｋＨｚまたは１５．６２５ｋＨｚの整数倍の周波数で発振動作する。このため、ＯＳＤ信号生成の基準となる水平タイミング信号ＨＤの周波数も１５．７３４ｋＨｚまたは１５．６２５ｋＨｚ一定となるため、ＯＳＤの表示位置を常に一定に保つことができるようになることになる。
【００３２】
ここで、水平タイミング信号ＨＤを生成するためのＰＬＬ回路５は、具体的には図２に示すようになっており、パネル・コントローラ４に内蔵の電圧制御発振器の入出力端子ＩＮ、ＯＵＴに接続されたＬＣ共振回路５１と、位相比較出力端子ＰＤに接続されたアクティブ・フィルタ５０とを備えている。
【００３３】
ＬＣ共振回路のインダクタンスはインダクタＬのみであるが、キャパシタンスは、コンデンサＣ１、Ｃ２、Ｃ３、及び可変容量ダイオードＶＤの直列合成容量となる。そして、可変容量ダイオードＶＤのアノードには抵抗Ｒを介してアクティブ・フィルタ５０からの直流出力電圧が供給される。
【００３４】
一方、可変容量ダイオードＶＤのカソードには、可変抵抗器ＶＲ１がフリー発振周波数調整用の直流電圧ラインを介して電気的に接続している。また、フリー発振周波数調整用の直流電圧ラインとＧＮＤと間には、可変抵抗器ＶＲ２がフリー発振周波数切換スイッチＳＷと直列に電気的に接続し、このフリー発振周波数切換スイッチＳＷは、識別信号ＩＤによりオンオフ制御される。
【００３５】
このように構成したマルチ・モニター装置では、先ずＮＴＳＣモードではフリー発振周波数切換スイッチＳＷがオフしているため、可変抵抗ＶＲ２はＰＬＬ動作に無関係で従来と同様な回路動作になる。この時、可変抵抗ＶＲ１は、ＮＴＳＣモードでのフリー発振周波数調整用の可変抵抗として動作し、可変抵抗ＶＲ１を操作してフリー発振周波数ｆｎが上記（２）式の値になるように調整する。
【００３６】
これに対して、ＰＡＬモードでは、フリー発振周波数切換スイッチＳＷがオンし、可変抵抗ＶＲ２の一端が接地されることにより、可変容量ダイオードＶＤのカソードに印加される直流電圧はＮＴＳＣモードでの調整電圧より低下することになる。
【００３７】
ここで、可変容量ダイオードＶＤのカソードに印加される直流電圧が低下するということは、可変容量ダイオードＶＤの両端に印加される電圧が低くなるため、可変容量ダイオードＶＤのキャパシタンスが増大し、その分、フリー発振周波数が低くなる。そこで、可変抵抗ＶＲ２を操作して、フリー発振周波数ｆｐがＮＴＳＣモードでのフリー発振周波数ｆｎより低い上記（３）式の値になるように調整しておく。
【００３８】
このように本形態のマルチ・モニター装置では、ＮＴＳＣモード／ＰＡＬモード共に無信号時のフリー発振周波数を有信号時の発振周波数と等しく設定できるため、無信号時のＯＳＤ表示位置が左または右方向にずれるのを防ぐことができ、ＯＳＤの表示位置を常に一定に保つことができる。従って、本形態のマルチ・モニター装置を車載用（移動用）あるいは携帯用のマルチ・モニター装置にすれば、テレビ放送を受信する際、車両あるいは携帯者の移動に伴って受信状態の良好な新たなチャンネルを求めて選局チャンネルを頻繁に変更しても、ＯＳＤの表示位置を常に一定に保つことができるので、高品位の表示を行うことができる。
【００３９】
なお、図２におけるフリー発振周波数切換スイッチＳＷは、あくまで直流電位を変化させる動作を行うだけであるため、トランジスタなどを用いれば容易、かつ、電気的に制御することが可能である。
【００４０】
［その他の実施の形態］
なお、上記実施の形態では、表示体として液晶表示パネルを用いた例であったが、ブラウン管その他の表示体を用いたマルチ・モニター装置に本発明を適用してもよい。
【００４１】
【発明の効果】
以上述べたように、本発明によれば、テレビ受信装置からマルチ・モニター装置に複合映像信号を供給してテレビ映像を表示するにあたり、テレビ受信チャンネルが有信号であるか無信号であるかに拘わらずＯＳＤの表示位置を常に一定に保つことができるため、使用者に不快感を与えず高品位の映像表示を実現できるものである。このため、車両の移動に伴って受信状態が悪化した場合などに、新たな受信状態の良好なチャンネルを求めて選局チャンネルを変更するような使用形態の多い車載用マルチ・モニター装置に適用することで大きな効果が得られるものである。
【図面の簡単な説明】
【図１】本発明を適用したマルチ・モニター装置のブロック図である。
【図２】図１に示すマルチ・モニター装置に搭載されているＰＬＬ回路の具体例を示す回路図である。
【図３】従来のマルチ・モニター装置のブロック図である。
【図４】図３に示す従来のマルチ・モニター装置に搭載されているＰＬＬ回路の具体例を示す回路図である。
【図５】従来のマルチ・モニター装置におけるＮＴＳＣモードでのＯＳＤ表示例を示す説明図である。
【図６】従来のマルチ・モニター装置におけるＰＡＬモードでのＯＳＤ表示例を示す説明図である。
【符号の簡単な説明】
１　映像復調回路（映像復調手段）
２　信号方式切換回路（信号方式切換手段）
３　同期分離回路
４　パネル・コントローラ
５　ＰＬＬ回路
６　液晶表示パネル（表示体）
５０　アクティブ・フィルタ
５１　ＬＣ共振回路
ＩＤ　識別信号
ＳＷ　フリー発振周波数切換スイッチ（フリー発振周波数切換手段）
【図１】
2004088724.tif 000003
【図２】
2004088724.tif 000004
【図３】
2004088724.tif 000005
【図４】
2004088724.tif 000006
【図５】
2004088724.tif 000007
【図６】
2004088724.tif 000008